【手続補正書】
【提出日】平成28年3月29日(2016.3.29)
【手続補正１】
【補正対象書類名】特許請求の範囲
【補正対象項目名】全文
【補正方法】変更
【補正の内容】
【特許請求の範囲】
【請求項１】
冷媒を圧縮して吐出する圧縮機（１１）と、
前記圧縮機（１１）から吐出された冷媒を放熱させる放熱器（１２）と、
前記放熱器（１２）から流出した冷媒の流れを分岐する分岐部（１３）と、
前記放熱器（１２）から流出した冷媒を減圧させる第１減圧手段（１４）および第２減圧手段（１７）と、
前記第１減圧手段（１４）にて減圧された冷媒を蒸発させて空気を冷却する第１蒸発器（１５）と、
前記第２減圧手段（１７）にて減圧された冷媒を蒸発させて空気を冷却する第２蒸発器（１８）と、
前記第１蒸発器（１５）から流出した冷媒を減圧させるノズル部（１９ａ）から噴射される噴射冷媒の吸引作用によって冷媒吸引口（１９ｃ）から前記第２蒸発器（１８）下流側冷媒を吸引し、前記噴射冷媒と前記冷媒吸引口（１９ｃ）から吸引された吸引冷媒とを混合させて昇圧させるエジェクタ（１９）と、を備え、
前記分岐部（１３）の一方の冷媒流出口には、前記第１減圧手段（１４）の入口側が接続されており、
前記分岐部（１３）の他方の冷媒流出口には、前記第２減圧手段（１７）の入口側が接続されており、
前記放熱器（１２）の冷媒出口側から前記第１減圧手段（１４）の入口側へ至る冷媒流路、および前記放熱器（１２）の冷媒出口側から前記第２減圧手段（１７）の入口側へ至る冷媒流路のうち、少なくとも一方の冷媒流路を流通する冷媒を高圧冷媒とし、
前記第１蒸発器（１５）の冷媒出口側から前記ノズル部（１９ａ）の入口側へ至る冷媒流路を流通する冷媒を高段側低圧冷媒とし、
前記第２蒸発器（１８）の冷媒出口側から前記冷媒吸引口（１９ｃ）へ至る冷媒流路を流通する冷媒を低段側低圧冷媒としたときに、
さらに、前記高段側低圧冷媒および前記低段側低圧冷媒のうちいずれか一方と前記高圧冷媒とを熱交換させる内部熱交換器（１６）を備え、
前記内部熱交換器（１６）は、前記低段側低圧冷媒と、前記分岐部（１３）の他方の冷媒流出口から前記第２減圧手段（１７）の入口側へ至る冷媒流路を流通する高圧冷媒とを熱交換させるものであることを特徴とするエジェクタ式冷凍サイクル。
【請求項２】
冷媒を圧縮して吐出する圧縮機（１１）と、
前記圧縮機（１１）から吐出された冷媒を放熱させる放熱器（１２）と、
前記放熱器（１２）から流出した冷媒の流れを分岐する分岐部（１３）と、
前記放熱器（１２）から流出した冷媒を減圧させる第１減圧手段（１４）および第２減圧手段（１７）と、
前記第１減圧手段（１４）にて減圧された冷媒を蒸発させる第１蒸発器（１５）と、
前記第２減圧手段（１７）にて減圧された冷媒を蒸発させる第２蒸発器（１８）と、
前記第１蒸発器（１５）から流出した冷媒を減圧させるノズル部（１９ａ）から噴射される噴射冷媒の吸引作用によって冷媒吸引口（１９ｃ）から前記第２蒸発器（１８）下流側冷媒を吸引し、前記噴射冷媒と前記冷媒吸引口（１９ｃ）から吸引された吸引冷媒とを混合させて昇圧させるエジェクタ（１９）と、を備え、
前記分岐部（１３）の一方の冷媒流出口には、前記第１減圧手段（１４）の入口側が接続されており、
前記分岐部（１３）の他方の冷媒流出口には、前記第２減圧手段（１７）の入口側が接続されており、
前記放熱器（１２）の冷媒出口側から前記第１減圧手段（１４）の入口側へ至る冷媒流路、および前記放熱器（１２）の冷媒出口側から前記第２減圧手段（１７）の入口側へ至る冷媒流路のうち、少なくとも一方の冷媒流路を流通する冷媒を高圧冷媒とし、
前記第１蒸発器（１５）の冷媒出口側から前記ノズル部（１９ａ）の入口側へ至る冷媒流路を流通する冷媒を高段側低圧冷媒とし、
前記第２蒸発器（１８）の冷媒出口側から前記冷媒吸引口（１９ｃ）へ至る冷媒流路を流通する冷媒を低段側低圧冷媒としたときに、
さらに、前記高段側低圧冷媒および前記低段側低圧冷媒のうちいずれか一方と前記高圧冷媒とを熱交換させる内部熱交換器（１６）を備え、
前記内部熱交換器（１６）は、前記高段側低圧冷媒と、前記分岐部（１３）の他方の冷媒流出口から前記第２減圧手段（１７）の入口側へ至る冷媒流路を流通する高圧冷媒とを熱交換させるものであることを特徴とするエジェクタ式冷凍サイクル。
【手続補正２】
【補正対象書類名】明細書
【補正対象項目名】００１６
【補正方法】変更
【補正の内容】
【００１６】
本発明は、上記目的を達成するために案出されたもので、請求項１に記載の発明では、冷媒を圧縮して吐出する圧縮機（１１）と、圧縮機（１１）から吐出された冷媒を放熱させる放熱器（１２）と、放熱器（１２）から流出した冷媒の流れを分岐する分岐部（１３）と、放熱器（１２）から流出した冷媒を減圧させる第１減圧手段（１４）および第２減圧手段（１７）と、第１減圧手段（１４）にて減圧された冷媒を蒸発させて空気を冷却する第１蒸発器（１５）と、第２減圧手段（１７）にて減圧された冷媒を蒸発させて空気を冷却する第２蒸発器（１８）と、第１蒸発器（１５）から流出した冷媒を減圧させるノズル部（１９ａ）から噴射される噴射冷媒の吸引作用によって冷媒吸引口（１９ｃ）から第２蒸発器（１８）下流側冷媒を吸引し、噴射冷媒と冷媒吸引口（１９ｃ）から吸引された吸引冷媒とを混合させて昇圧させるエジェクタ（１９）と、を備え、
分岐部（１３）の一方の冷媒流出口には、第１減圧手段（１４）の入口側が接続されており、分岐部（１３）の他方の冷媒流出口には、第２減圧手段（１７）の入口側が接続されており、
放熱器（１２）の冷媒出口側から第１減圧手段（１４）の入口側へ至る冷媒流路、および放熱器（１２）の冷媒出口側から第２減圧手段（１７）の入口側へ至る冷媒流路のうち、少なくとも一方の冷媒流路を流通する冷媒を高圧冷媒とし、第１蒸発器（１５）の冷媒出口側からノズル部（１９ａ）の入口側へ至る冷媒流路を流通する冷媒を高段側低圧冷媒とし、第２蒸発器（１８）の冷媒出口側から冷媒吸引口（１９ｃ）へ至る冷媒流路を流通する冷媒を低段側低圧冷媒としたときに、
さらに、高段側低圧冷媒および低段側低圧冷媒のうちいずれか一方と高圧冷媒とを熱交換させる内部熱交換器（１６）を備え、
内部熱交換器（１６）は、低段側低圧冷媒と、分岐部（１３）の他方の冷媒流出口から第２減圧手段（１７）の入口側へ至る冷媒流路を流通する高圧冷媒とを熱交換させるものであるエジェクタ式冷凍サイクルを特徴とする。
【手続補正３】
【補正対象書類名】明細書
【補正対象項目名】００２０
【補正方法】変更
【補正の内容】
【００２０】
具体的には、放熱器（１２）から流出した冷媒の流れを分岐する分岐部（１３）を備え、分岐部（１３）の一方の冷媒流出口には、第１減圧手段（１４）の入口側が接続されており、分岐部（１３）の他方の冷媒流出口には、第２減圧手段（１７）の入口側が接続されており、内部熱交換器（１６）は、低段側低圧冷媒と、分岐部（１３）の他方の冷媒流出口から第２減圧手段（１７）の入口側へ至る冷媒流路を流通する高圧冷媒とを熱交換させている。
【手続補正４】
【補正対象書類名】明細書
【補正対象項目名】００２３
【補正方法】変更
【補正の内容】
【００２３】
また、請求項２に記載の発明では、冷媒を圧縮して吐出する圧縮機（１１）と、圧縮機（１１）から吐出された冷媒を放熱させる放熱器（１２）と、放熱器（１２）から流出した冷媒の流れを分岐する分岐部（１３）と、放熱器（１２）から流出した冷媒を減圧させる第１減圧手段（１４）および第２減圧手段（１７）と、第１減圧手段（１４）にて減圧された冷媒を蒸発させる第１蒸発器（１５）と、第２減圧手段（１７）にて減圧された冷媒を蒸発させる第２蒸発器（１８）と、第１蒸発器（１５）から流出した冷媒を減圧させるノズル部（１９ａ）から噴射される噴射冷媒の吸引作用によって冷媒吸引口（１９ｃ）から第２蒸発器（１８）下流側冷媒を吸引し、噴射冷媒と冷媒吸引口（１９ｃ）から吸引された吸引冷媒とを混合させて昇圧させるエジェクタ（１９）と、を備え、
分岐部（１３）の一方の冷媒流出口には、第１減圧手段（１４）の入口側が接続されており、分岐部（１３）の他方の冷媒流出口には、第２減圧手段（１７）の入口側が接続されており、
放熱器（１２）の冷媒出口側から第１減圧手段（１４）の入口側へ至る冷媒流路、および放熱器（１２）の冷媒出口側から第２減圧手段（１７）の入口側へ至る冷媒流路のうち、少なくとも一方の冷媒流路を流通する冷媒を高圧冷媒とし、第１蒸発器（１５）の冷媒出口側からノズル部（１９ａ）の入口側へ至る冷媒流路を流通する冷媒を高段側低圧冷媒とし、第２蒸発器（１８）の冷媒出口側から冷媒吸引口（１９ｃ）へ至る冷媒流路を流通する冷媒を低段側低圧冷媒としたときに、
さらに、高段側低圧冷媒および低段側低圧冷媒のうちいずれか一方と高圧冷媒とを熱交換させる内部熱交換器（１６）を備え、
内部熱交換器（１６）は、高段側低圧冷媒と、分岐部（１３）の他方の冷媒流出口から第２減圧手段（１７）の入口側へ至る冷媒流路を流通する高圧冷媒とを熱交換させるものであるエジェクタ式冷凍サイクルを特徴とする。
【手続補正５】
【補正対象書類名】明細書
【補正対象項目名】００２４
【補正方法】変更
【補正の内容】
【００２４】
これによれば、請求項１に記載の発明と同様に、第１蒸発器（１５）にて発揮される冷却能力と第２蒸発器（１８）にて発揮される冷却能力とを近づけることができる。さらに、内部熱交換器（１６）にて、高段側低圧冷媒を加熱して、エジェクタ（１９）のノズル部（１９ａ）へ流入させる冷媒のエンタルピを上昇させることができる。
【手続補正６】
【補正対象書類名】明細書
【補正対象項目名】００２６
【補正方法】削除
【補正の内容】
【手続補正７】
【補正対象書類名】明細書
【補正対象項目名】００２７
【補正方法】削除
【補正の内容】